(57)【特許請求の範囲】
【請求項１】
家屋の基礎部分に設置した加温部と、加温部と連通すべく構成した家屋の壁体と、家屋の中空状の壁体に連なる屋根部とより構成し、しかも壁体は外壁と外通気層と防水遮熱シートと外断熱材とセルロースファイバー層と内通気層と仕上材と室内装材とにより屋外より順次重ねて構成し、
外通気層は、外気温度により加熱された空気を家屋外に排出する通路として、又、外気温度と遮断する遮断層としてそれぞれ機能すべく構成し、内通気層は冬場は基礎部分における加温部からの加温空気を室内から天井部へと通気すべく構成し、夏場は基礎部分の冷気を室内から天井部を介して外方に排気する冷気の循環通路として機能すべく構成し、内通気層は支柱間に立設した縦方向の間柱の外側面に付設した縦方向の胴縁の空間により形成したことを特徴とする外気遮熱家屋構造。
【請求項２】
セルロースファイバー層としては、植物由来の繊維を有した新聞紙や和紙などの砕断片を堆積凝固して構成したことを特徴とする請求項１に記載の外気遮熱家屋構造。
【請求項３】
基礎部分における加温部は、地面に掘削した基礎穴に栗石や山砂等を敷設し、その上に基礎下断熱材を介して基礎コンクリートを形成して、基礎コンクリートと床板との間に通気空間を形成すると共に、基礎コンクリート中に暖房配管を埋設し、基礎コンクリートに蓄熱機能を保持させて通気空間を加温し、通気空間に連通した内通気層を介して空間を暖房すべく構成したことを特徴とする請求項１又は請求項２に記載の外気遮熱家屋構造。
【請求項４】
内外通気層の始端開口部は支柱に一定空間を保持して隣接配設した胴縁により形成することを特徴とする請求項１乃至３の何れか１項に記載の外気遮熱家屋構造。
【請求項５】
屋根部は、野地板の下方に配設した垂木の下面に屋根セルロースファイバー層を形成し、その下面に野縁を介して屋根断熱材を配設し、更にその下方に天井裏空間を形成すると共に、天井裏空間に内通気層を連通して通気空間の寒暖気を天井裏空間に送流すべく構成したことを特徴とする請求項１乃至４の何れか１項に記載の外気遮熱家屋構造。
【発明の詳細な説明】
【技術分野】
【０００１】
本発明は、外気遮熱家屋構造に関する。
【背景技術】
【０００２】
従来、家屋の外壁や屋根に輻射される寒熱温度を遮断して家屋内を快適な居住温度に維持する技術は多々存在する。
また、基礎地盤の掘削穴や家屋の床下からの空気を循環させて居住空間の温度を可及的に一定に保つ技術も多々開示されている。
特に外壁内に多数層の空気層を形成すると遮熱効果をより向上できることも本発明者がすでに特許文献１として開示している。
【先行技術文献】
【特許文献】
【０００３】
【特許文献１】特開２０１３―２４５４７５号公報
【発明の概要】
【発明が解決しようとする課題】
【０００４】
確かに本発明者が開示した三層空気層による壁体構造は空気の優れた外温遮熱機能と共に空気層を冷気や暖気の循環通路として機能させることにより家屋の居住空間を夏場、冬場にかかわらず恒温に維持できるように構成している。
しかし、外気温度を空気層と断熱材のみにより遮断することには限界があり、また、空気層を通気路として寒暖気の循環機能をもたせるために通気路形成のために支柱の土台に通気溝を形成したり、床材の端縁から床下空気を空気層に流通させるため、支柱と床材との間に空気層との連通間隙を無理に構成したりするため家屋躯体に不要の負荷をかけ強度上の問題を生起するおそれがあり、また、床下からの寒暖気の流通が空気層において円滑に行われない等の支障があった。
【０００５】
この発明は、各支柱間の柱幅員空間にセルロースファイバー層を形成し、このセルロースファイバー層の内外側面に胴縁の幅員を利用して内外通気層を形成し、しかも、各通気層による寒暖気の循環流通が家屋の床下から居住空間や屋根裏空間を経由するように家屋の各構成部材の組付けを強固にかつ簡易に行えるように構成した外気遮熱家屋構造を提供することにある。
【課題を解決するための手段】
【０００６】
この発明は、家屋の基礎部分に設置した加温部と、加温部と連通すべく構成した家屋の中空状の壁体と、家屋の壁体に連なる屋根部とより構成し、しかも、壁体は外壁と外通気層と防水遮熱シートと外断熱材とセルロースファイバー層と内通気層と仕上材と室内装材とにより屋外より順次重ねて構成し、外通気層は、外気温度により加熱された空気を家屋外に排出する通路として、又、外気温度と遮断する遮断層としてそれぞれ機能すべく構成し、内通気層は冬場は基礎部分における加温部からの加温空気を室内から天井部へと通気すべく構成し、夏場は基礎部分の冷気を室内から天井部を介して外方に排気する冷気の循環通路として機能すべく構成し、内通気層は支柱間に立設した縦方向の間柱の外側面に付設した縦方向の胴縁の空間により形成したことを特徴とする外気遮熱家屋構造に関する。
【０００７】
また、セルロースファイバー層としては、植物由来の繊維を有した新聞紙や和紙などの砕断片を堆積凝固して構成したことを特徴とした。
【０００８】
また、基礎部分における加温部は、地面に掘削した基礎穴に栗石や山砂等を敷設し、その上に基礎下断熱材を介して基礎コンクリートを形成して、基礎コンクリートと床板との間に通気空間を形成すると共に、基礎コンクリート中に暖房配管を埋設し、基礎コンクリートに蓄熱機能を保持させて通気空間を加温し、通気空間に連通した内通気層を介して空間を暖房すべく構成したことを特徴とする。
【０００９】
また、内外通気層の始端開口部は支柱に一定空間を保持して隣接配設した胴縁により形成することを特徴とする。
【００１１】
また、屋根部は、野地板の下方に配設した垂木の下面に屋根セルロースファイバー層を形成し、その下面に野縁を介して屋根断熱材を配設し、更にその下方に天井裏空間を形成すると共に、天井裏空間に内通気層を連通して通気空間の寒暖気を天井裏空間に送流すべく構成したことを特徴とする。
【発明の効果】
【００１２】
請求項１，２の発明によれば、家屋の基礎部分に設置した加温部と、加温部と連通すべく構成した家屋の中空状の壁体と、家屋の壁体に連通すべく構成した天井部とより構成し、しかも、壁体は外壁と外通気層と防水遮熱シートと外断熱材とセルロースファイバー層と内通気層と仕上材と室内装材とにより屋外より順次重ねて構成し、外通気層は、外気温度により加熱された空気を家屋外に排出する通路として、又、外気温度と遮断する遮断層としてそれぞれ機能すべく構成し、内通気層は冬場は基礎部分における加温部からの加温空気を室内から天井部へと通気すべく構成し、夏場は基礎部分の涼気を室内から天井部を介して外方に排気する冷気の循環通路として機能すべく構成したことにより、まず、夏場、冬場において外気の熱気や寒気が外通気層と内通気層とによる二重の空気層により空気特有の寒熱の遮断機能によって断熱効果を遮断する効果を向上することができる。
更には、内外通気層の間にはセルロースファイバーを材料としたセルロースファイバー層を介設しているので屋外の寒熱気はこの層で大きく遮断されてしまい、特にセルロースファイバー層の外表面には外断熱材が張設されているので、外気温がここでも遮断されるためセルロースファイバー層の断熱機能をより向上できる。
更には、外断熱材の外表面には防水遮熱シートが張設されているので外通気層が外気により加熱或は冷却されても、その外通気層を流通する空気熱は防水遮熱シートにより遮断されて可及的に外断熱材およびセルロースファイバーへ伝導されるのを防止できる。
以上のように、外気温は内外通気層と共に外断熱材やセルロースファイバー層や防水遮熱シートなどの５種類の断熱機層を有する部材層により遮断されることになるため、外気温が室内に熱伝導されるのを可及的に防止し、室内を一年中恒温状態に保持することができる効果がある。
更には、これらの断熱機能部材の積層構造では内外両側端位置に内外通気層を配設したことにより空気層が壁体内においてセルロースファイバー層を挟持する構造となり、断熱効果の高い二重の空気層の存在により断熱機能をより向上することができる。
しかも、内外通気層の間の中間部分にはセルロースファイバー層を介在させ、特に内通気層はセルロースファイバー層に隣接状態となっているので、壁体の芯部となる層が吸湿、防音、遮熱機能を有し、壁体内部における結露発生を防止し、外気の乾燥時にはセルロースファイバー層は湿気を放出して室内と連通した内通気層の空気の温度調整をすることが可能となり、屋外の気温の遮断機能と共に室内の湿度も調節して室内の恒温保持をより機能的に実施することができる効果がある。
【００１３】
請求項３の発明によれば、地面に掘削した基礎穴に基礎コンクリートを形成し、その上方を床下として通気空間を形成し、基礎コンクリートに暖房配管を埋設しているため、基礎コンクリートが暖房配管で加熱されるとコンクリートは蓄熱されて通気空間を加温する。
従って、床構造の基礎部を構成する基礎コンクリートに暖房配管を介して蓄熱機能を保持させているため特別な蓄熱部材を必要とせず通気空間を加温することができることになり、家屋の床構造の基礎部に構造的変更をせず基礎部の強度を損なうことなく安価に通気層を介して家屋空間を温めることができる効果がある。
【００１４】
請求項４の発明によれば、内外通気層の形成を、特に通気空間を形成することなく、家屋の組付け構成部材としての胴縁により作ることができるので、家屋の構成部材をそのまま使用して分家屋強度を劣化させることなく、従来の家屋構成部材によって内外通気層を形成できる効果がある。
特に内通気層は、支柱間の間柱の外端面に胴縁を付設しこの胴縁の厚み分で形成されるため、支柱、間柱、胴縁等の組付け構造をそのまま用いて組付け強度を損なうことなく安価に内通気層を形成することができる効果がある。
【００１５】
請求項５の発明によれば、屋根部の垂木の下面に屋根セルロースファイバー層を形成し、更にその下面の野縁を介して屋根断熱材を配設し、その下方は天井裏空間を形成し、この空間に加温された床下の通気空間から内通気層を通して暖気を貯留することができることになり、家屋の屋根部の遮熱効果と床下の蓄熱コンクリートからの暖気によって家屋全体の暖房が行えることになり、エアコンなどの設備を要することなく冬場の快適な温度調整による恒温制御が行える効果がある。
【図面の簡単な説明】
【００１６】
【図１】本実施形態の外気遮熱家屋構造の全体構造を示す断面説明図である。
【図２】床下基礎部を示す平面図である。
【図３】外気遮熱家屋構造を示す平面断面図である。
【図４】外気遮熱家屋構造を示す全体図である。
【図５】図４中のＸ１の領域を示す断面図である。
【図６】図４中のＸ２の領域を示す断面図である。
【図７】壁体を示す斜視図である。
【図８】屋根部を示す断面図である。
【図９】屋根部を示す斜視図である。
【図１０】夏の外気遮熱家屋構造における冷気の流れを示す説明図である。
【図１１】壁体を示す斜視図である。
【図１２】間仕切り壁を示す斜視図である。
【図１３】屋根裏部と壁体とを示す斜視図である。
【発明を実施するための形態】
【００１７】
この発明は、家屋の基礎部分に設置した加温部と、加温部と連通すべく構成した家屋の中空状の壁体と、家屋の壁体に連なる屋根部とより構成し、しかも、壁体は外壁と外通気層と防水遮熱シートと外断熱材とセルロースファイバー層と内通気層と仕上材と室内装材とにより屋外より順次重ねて構成し、外通気層は、外気温度により加熱された空気を家屋外に排出する通路として、又、外気温度と遮断する遮断層としてそれぞれ機能すべく構成し、内通気層は冬場は基礎部分における加温部からの加温空気を室内から天井部へと通気すべく構成し、夏場は基礎部分の冷気を室内から天井部を介して外方に排気する冷気の循環通路として機能すべく構成し、内通気層は支柱間に立設した縦方向の間柱の外側面に付設した縦方向の胴縁の空間により形成したことを特徴とする外気遮熱家屋構造を提供せんとする。
【００１８】
また、セルロースファイバー層としては、植物由来の繊維を有した新聞紙や和紙などの砕断片を堆積凝固して構成したことを特徴とする外気遮熱家屋構造に関する。
【００１９】
また、基礎部分における加温部は、地面に掘削した基礎穴に栗石や山砂等を敷設し、その上に基礎下断熱材を介して基礎コンクリートを形成して、基礎コンクリートと床板との間に通気空間を形成すると共に、基礎コンクリート中に暖房配管を埋設し、基礎コンクリートに蓄熱機能を保持させて通気空間を加温し、通気空間に連通した内通気層を介して空間を暖房すべく構成した。
【００２０】
また、内外通気層の始端開口部は支柱に一定空間を保持して隣接配設した胴縁により形成する。
【００２１】
また、内通気層は支柱間に立設した縦方向の間柱の外側面に付設した縦方向の胴縁の空間により形成する。
【００２２】
また、屋根部は、野地板の下方に配設した垂木の下面に屋根セルロースファイバー層を形成し、その下面に野縁を介して屋根断熱材を配設し、更にその下方に天井裏空間を形成すると共に、天井裏空間に内通気層を連通して通気空間の寒暖気を天井裏空間に送流すべく構成した。
【００２３】
この発明の実施例を図面に基づき詳説する。
【００２４】
図１は、この発明の外気遮断家屋Ａの全体構造を示す断面説明図である。
外気遮断家屋Ａは、地下に基礎部Ｂを施工し、その上に家屋部Ｃが建立され、家屋部Ｃは壁体Ｗと居住空間Ｓと屋根部Ｒよりなる。
【００２５】
(1)基礎部Ｂについて
基礎部Ｂは、地面Ｇに所定の基礎穴１を掘削し、基礎穴１中に栗石２ａや山砂２ｂ（約６ｍｍ以下の厚さ）等を敷設し、更にその上に樹脂素材よりなる約５０ｍｍの厚さの基礎下断熱材３を敷設し、該断熱材３の上面に薄膜の防湿シート４を被覆する。
【００２６】
基礎下断熱材３上面の防湿シート４上方には所定厚みの基礎コンクリート５を打ち、該コンクリート５内には暖房配管６を収納している。
図２中、７ａ，７ｂは基礎コンクリート５内に埋設した鉄筋を示し、鉄筋７ａ、７ｂと暖房配管６とは略同間隔で配している。７ｃは、鉄筋７ａ、７ｂを支持する直方体のブロックである。
【００２７】
基礎コンクリート５中の暖房配管６はヒートポンプ式の温水循環装置８に連通されており、暖房配管６中には熱交換用の不凍液が収納されて循環しながら基礎コンクリート５と熱交換し、基礎コンクリート５に蓄熱するように構成しており、これらの構成部材により加温部９（図５参照）を形成している。図５中、Ｐは基礎土台コンクリート１２と土台１４との間を密閉する弾性体のパッキン材を示す。
【００２８】
地面Ｇ中に掘削した基礎穴１には上記したような家屋を建立するための基礎部Ｂが施工されると共に、基礎部Ｂの基礎穴１中には基礎コンクリート５上方で床下に一定の空間を形成する。この空間は地面Ｇ中において夏場は外気の温度に影響されない恒温空間を形成すると共に、冬場は暖房配管６によって暖気滞留空間として機能する通気空間Ｙとなる。
【００２９】
この通気空間Ｙは、後述する壁体Ｗの内通気層Ｗ６と連通されており、壁体Ｗの多層構造と相俟って居住空間Ｓを外気から遮断した快適な恒温状態に維持することができる。
【００３０】
基礎穴１の通気空間Ｙの底部は、前述の通り基礎コンクリート５が打たれており、通気空間Ｙの周辺には、一定の空間を保持した土台内側壁断熱材１０と土台外側壁断熱材１１とが立設されており、土台内外側壁断熱材１０，１１の間の空間に基礎コンクリート５と連続した基礎土台コンクリート１２が打たれる。
【００３１】
従って、基礎穴１中には、底部と側部にコンクリートが打たれており、地面Ｇ中に基礎穴１の周辺と底面にコンクリート製型枠が形成されたことになり、このコンクリート製型枠が床下において通気空間Ｙを形成する。
図５中、１３は区画断熱材であり、基礎土台コンクリート１２の基部を基礎コンクリート５よりも地面Ｇ中に深堀りした場合に、基礎コンクリート５下方に堆積した栗石２ａや山砂２ｂ等の横側部との境を区画する。
【００３２】
(2)基礎部Ｂに建立する家屋部Ｃについて
家屋部Ｃは、基礎部Ｂの基礎土台コンクリート１２に土台１４及び大引き３１を介して管柱としての支柱１５（図３参照）を立設し、各支柱１５間に壁体Ｗを張設し、壁体Ｗにより囲まれた内部に居住空間Ｓを形成し、支柱１５の上方には屋根部Ｒを設けることにより家屋部Ｃを構成している。
【００３３】
(3)家屋部Ｃの壁体Ｗについて
図７及び図１１に示すように、壁体Ｗは、外壁Ｗ１と外通気層Ｗ２と防水遮熱シートＷ３と外断熱材Ｗ４とセルロースファイバー層Ｗ５と内通気層Ｗ６と仕上材Ｗ７と室内装材としてのクロス張りＷ８とを屋外から順次重ねて構成している。
【００３４】
(a)外壁Ｗ１は、約１６ｍｍの厚さで窯業系サイディング材を加工した外装板により構成しており、家屋部Ｃの外周壁面を形成する。
屋外の寒暖の温度は直接に外壁Ｗ１に輻射されることになるが、本発明の実施例では以下詳説する壁体Ｗの構造により室内への熱伝導を可及的に遮断することができる。
【００３５】
(b)外通気層Ｗ６は、外壁Ｗ１と外断熱材Ｗ４との間において約１８ｍｍの幅員を有した空気層として形成されている。
すなわち、外壁の外方の屋外温度は、外壁Ｗ１を伝導するものの外通気層Ｗ２によってまず空気遮断される。
【００３６】
(c)防水遮熱シートＷ３と外断熱材Ｗ４は、約２０ｍｍの厚さでアルミ箔を混合した防水シートを表面に張設したＡ種押出法ポリステレンフォーム保温板よりなる。
防水遮熱シートＷ３を表面に張設した外断熱材Ｗ４は外壁Ｗ１との間で隣接する外通気層Ｗ２を形成する。
【００３７】
(d)セルロースファイバー層Ｗ５は、支柱１５の肉厚分の間隙で形成され、外断熱材Ｗ４に当接して約１０５ｍｍの厚さに形成され、形成された空間中には新聞紙などの植物由来の繊維質細断片を圧縮固化して収納して構成されている。
すなわち、壁体Ｗの芯部を形成するものであり、材質を植物由来とした繊維質細断片であるため吸湿性、遮熱性に優れており、乾燥時には湿気を放出して隣接する内通気層Ｗ６の温度と湿度を調節して室内との空気循環により室内の調温と調湿機能も果たすことができる。
図５及び図７中、１６はセルロースファイバー層Ｗ５の内側面に張設したセルロース受シートであり、セルロース細片が飛散し、崩落しないようにしている。
【００３８】
(e)内通気層Ｗ６は、約２１ｍｍの幅員でセルロースファイバー層Ｗ６と仕上材Ｗ７との間に形成される。
内通気層Ｗ６は始端を地下の基礎部Ｂに形成した通気空間Ｙに連通し、室内を経由して屋根裏部１９に至るように構成されており、壁体Ｗ内の空気循環通路として機能する。
【００３９】
(f)仕上材Ｗ７は、約１２．５ｍｍの厚さの石膏ボードのプラスターボードを用いており、セルロースファイバー層Ｗ５との間に内通気層Ｗ６を形成する。
仕上材Ｗ７の表面には、クロス張りや石膏仕上げ等の室内装材Ｗ８を形成している。
【００４０】
(4)屋根部Ｒについて
支柱１５（図３参照）の上方には、図６に示す屋根部Ｒを形成し、屋根１７と天井部１８との間には屋根裏部１９が形成されている。
屋根１７は、野地板２０上にガルバニューム鋼板等２１を敷設し、野地板２０下方にはアルミシート６３、屋根セルロースファイバー層２２が形成されている。
屋根セルロースファイバー層２２の下面には、屋根断熱材２３が張設されている。
天井部１８と屋根断熱材２３との間に形成された屋根裏部１９は、所定の広さの空間とし、屋根裏部１９に面して排気ファン２４を設け、屋根裏部１９の空気Ｆ２を家屋部分Ｃの外方に排出するようにしている。
【００４１】
(5)内外通気層Ｗ６，Ｗ２と室内外との連通について
(a)外通気層Ｗ２は、外壁Ｗ１の内側において、図３、図７、図１１及び図１３に示す支柱１５や間柱２９の外側面に付設した外胴縁２６による空間によって形成されており、具体的には外壁Ｗ１と支柱１５の間隙に充填したセルロースファイバー層Ｗ５との間に形成されている。
【００４２】
(b)下開口端２５ｂ（図５参照）は、外壁Ｗ１外に開口して、外通気層Ｗ２内の加熱空気Ｆ１（図１参照）が上端から外方へ排出される。
上開口端２５ａ（図６参照）は、屋根１７の下方において外壁Ｗ１上端に開口しており、下開口端２５ｂは、支柱１５を支持する土台１４の外側下端に連設した土台水切２７ａ（図５参照）と外壁Ｗ１下端との間の間隙より構成されている。土台水切２７ａは、外壁Ｗ１の下端縁下方において水受け状の突部を形成した水切り金具であり、土台１４に沿って付設されている。２７ｂは外壁Ｗ１の上端縁上方において水切り金具として形成した水切りガイドである。
【００４３】
(c)内通気層Ｗ６は、下端開口部２８（図５及び図１１参照）を床下の通気空間Ｙに連通しており、冬場は加温部９からの暖気を流通させ、夏場は通気空間Ｙの冷たい恒温度の冷気を流通させるように機能する。
居住空間Ｓの仕切り壁３６ａには、開閉自在のガラリ４２（図１参照）を設けており、ガラリ４２は内通気層Ｗ６に連通している。夏場の特に暑い日において、図１０に示すような吹き抜け構造の家屋では、１階部分に設けたガラリ４２を開き、排気ファン２４を回転しつつ２階の冷房機４３から冷気Ｆ１１を送風する。冷気Ｆ１１が２階部分を冷やしながら１階へ降下し、ガラリ４２から内通気層Ｗ６を経由しながら最終的に屋根裏部１９に到達する。なお、内通気層Ｗ６に通気空間Ｙからの暖気が通気する場合にはガラリ４２を閉じた状態している。
【００４４】
(5)家屋部Ｃは以上のように構成されており、次に内通気層Ｗ６が床下の通気空間Ｙから屋根裏部１９に連通する構造について詳説する。
【００４５】
屋根部Ｃの基礎部Ｂにおいては、基礎土台コンクリート１２が屋根部Ｃの基礎外周を規定する大きさに枠状に敷設されており、その上面に木材の土台１４が基礎土台コンクリート１２に沿って載置固定されている。
【００４６】
土台１４には、大引き３１（図５及び図１１参照）が載置架設され、その上に支柱１５（図３参照）が間柱２９と平行に立設されており、この支柱１５の肉厚分の間隙にセルロースファイバーを充填することによりセルロースファイバー層Ｗ５が形成される。このセルロースファイバー層Ｗ５の内側方において支柱１５表面と間柱２９外側面に当接して縦方向の内胴縁３０がそれぞれ付設されており、この内胴縁３０の厚みの空間が内通気層Ｗ６として形成される。
【００４７】
図５及び図１１に示すように、基礎土台コンクリート１２の上面には、枠型の土台１４を載置しつつ大引き３１を載置架設し、その大引き３１上に根太３２を載置し、根太３２の上方に家屋部Ｃの床板３３ａ、床下地３３ｂが張設される。
【００４８】
通常、根太３２は支柱１５に当接して配設するが、本発明では内通気層Ｗ６に対応する空間を保持するために支柱１５との間に一定空間を形成し、床下空間、すなわち通気空間Ｙと連通することができるようにしている。
【００４９】
また、セルロースファイバー層Ｗ５の下部には、支柱１５と間柱２９との間に架設したセルロース受木３４．３４（図４又は図７参照）を二段にわたって埋設しており、このセルロース受木３４にセルロース受シート１６を釘留めする。
【００５０】
すなわち、セルロースファイバー層Ｗ５は表面が崩落しやすく、内通気層Ｗ６中にセルロース片が飛散することを防止するためにセルロースファイバー層Ｗ５表面にフィルム状或いは薄板状のセルロース受シート１６を張設する必要があり、かかるセルロース受シート１６を張設固定するための留木として軟弱性のセルロースファイバー層Ｗ５下部内部に埋設する。
【００５１】
以上のように内通気層Ｗ６は内胴縁３０（図７参照）の肉厚空間に形成されて通気空間Ｙから通気し、居住空間Ｓの仕切り壁３６ａ、間仕切り壁３６ｂ（図１及び図３参照）に沿って屋根裏部１９へと至るように構成されている。図３中、３８は胴縁を示す。
【００５２】
冬場においては、基礎部Ｂの加温部９で基礎コンクリート５を加熱し、蓄熱するために通気空間Ｙに放熱された暖気Ｆ２は根太３２と土台１４との間隙から内通気層Ｗ６を流通して屋根裏部１９に滞留し、居住空間Ｓを温める。
【００５３】
また、図３、図５及び図１２に示すように、居住空間Ｓを仕切った間仕切り壁３６ｂには、仕切り柱３７及び大引き３１の肉厚空間とし、仕切り柱３７に横胴縁３９，３９をそれぞれ付設し、横胴縁３９の外側面に石膏ボード等の仕切り仕上材４０を張設すると仕切り胴縁３８の肉厚空間が仕切り通気層４１となる。
【００５４】
この仕切り通気層４１が通気空間Ｙと連通して間仕切り壁３６ｂ中を流通して屋根裏部１９へ暖気を送る。
【００５５】
間仕切り壁３６ｂの仕切り通気層４１の下部においては外壁Ｗ１を含む壁体Ｗと同様に仕切り柱３７と根太３２との間に流通間隙４４を形成して、通気空間Ｙと仕切り通気層４１との間で暖気が流通可能となるように構成されている。
【００５６】
図１に示す外気遮熱家屋構造Ａは、二階建ての家屋を示すものであり、５０は一階の居住空間Ｓの天井裏部を示し、Ｓ´は二階の居住空間を示し、５１は二階の天井部を示し、５２は二階の床板を示し、５３は他所根太を示し、５４は二階の床梁を示し、５５は二階の天井裏の小屋梁を示し、５６は胴差材を示し、５７は天井板を示し、５８ａは天井板を固定する野縁を示す。この野縁５８ａに吊材５８ｂの一端を固定し、吊材５８ｂの他端を小屋梁５５に固定することで、天井部１８を構成するようにしている。５９は棟木を示す。また、図６中の６０は屋根断熱材２３を固定する断熱受けを示し、６１はセルロース受けシートを示し、６２は屋根の垂木を示し、６４は屋根断熱材２３を固定する受木を示す。屋根部Ｒはアルミシート６３、屋根セルロースファイバー層２２と屋根断熱材２３との３重断熱屋根構造としたので、夏場、ガルバニューム鋼板等２１からの熱を遮断することができる。
【００５７】
図８及び図９に示すように、垂木６２にはセルロース受けシート６１が張設されており、しかも、アルミシート６３は、野地板２０とセルロース受けシート６１の間隙で各垂木６２，６２の間に弛ませて敷設されている。野地板２０とセルロース受けシート６１との間のアルミシート６３は、野地板２０側の間隙７０とセルロース受けシート６１側の間隙７１を形成している。また、両間隙７０，７１は、上開口端２５ａ，２５ａに連通している。例えば、夏場、太陽で加熱したガルバニューム鋼板２１は、その下の屋根１７空間の空気Ｆ３を暖めて、その空気Ｆ３が野地板２０側間隙を通気して水切りガイド２７ｂの上開口端２５ａから排出される。セルロース受けシート６１側間隙７１には外通気層Ｗ２からの空気Ｆ４が通気して水切りガイド２７ｂの上開口端２５ａから排出される。
【００５８】
(6)本発明の外気遮熱家屋構造Ａは上記のように構成されており、その基本的思想は家屋の壁体Ｗにおいて、外壁Ｗ１、外通気層Ｗ２、外断熱材Ｗ４、セルロースファイバー層Ｗ５の各構成は、外気の温度を可及的に遮断させるものであり、かかる構成により外気の副斜線が壁体Ｗを介して居住空間Ｓに伝導しない。その重要な要因は外通気層Ｗ２と外断熱材Ｗ４とセルロースファイバー層Ｗ５との三重の防御部材の積層による。
【００５９】
他方、セルロースファイバー層Ｗ５の内側方向による内通気層Ｗ６は、遮熱機能のみを目的とするものではなく専ら基礎部Ｂの通気空間Ｙで加熱された或いは地中恒温の空気を居住空間Ｓの中空状の壁体Ｗに沿って流通させることにより、壁体Ｗの内通気層Ｗ６に伝わる伝導熱によって壁体Ｗを介して居住空間Ｓを暖房し、或いは冷却する機能を有する。
【００６０】
このように壁体Ｗの積層構造を二重の機能とし、第一の機能は外気の温度を可及的に遮熱する機能とし、かかる遮熱された状況の下で第二の機能として地中の基礎穴１の夏場の恒温空気及び冬場の加熱空気を内通気層Ｗ６中に流通させて、流通過程で壁面のプラスターなどの仕上材Ｗ７を介して居住空間Ｓを冷却或は暖房する。
【００６１】
かかる冷却、暖房機能は、すでに第一の機能により外温が遮断されているのでエアコンなどの大きな電気エネルギーを用いることなく居住空間Ｓに接する内通気層Ｗ６で充分な気温調整が可能となる。なお、夏場の猛暑の数日のみ、２階に設置した冷房機４３を稼働して冷気Ｆ１１を送気して、１階のガラリ４２を開き内通気層Ｗ６から屋根裏部１９に排気ファン２４を稼働して送気することで冷房調整が可能となる。
【００６２】
以上、本開示の実施形態について説明したが、本開示は係る特定の実施形態に限定されるものではなく、特許請求の範囲に記載された本発明の要旨の範囲内において、種々の変形・変更が可能である。
【符号の説明】
【００６３】
Ａ  外気遮断家屋
Ｂ  基礎部
Ｃ  家屋部
Ｗ  壁体
Ｒ  屋根部
Ｓ  居住空間
Ｇ  地面
Ｗ１  外壁
Ｗ２  外通気層
Ｗ３  防水遮熱シート
Ｗ４  外断熱材
Ｗ５  セルロースファイバー層
Ｗ６  内通気層
Ｗ７  仕上材
Ｗ８  室内装材
Ｙ  通気空間
１  基礎穴
２ａ  栗石
２ｂ  山砂
３  基礎下断熱材
４  防湿シート
５  基礎コンクリート
６  暖房配管
７ａ  鉄筋
７ｂ  鉄筋
７ｃ  ブロック
８  温水循環装置
９  加温部
１０  土台内側壁断熱材
１１  土台外側壁断熱材
１２  基礎土台コンクリート
１３  区画断熱材
１４  土台
１５  支柱（壁体、屋根部）
１６  セルロース受シート
１７  屋根
１８  天井部
１９  屋根裏部
２０  野地板
２１  ガルバニューム鋼板
２２  屋根セルロースファイバー層
２３  屋根断熱材
２４  排気ファン
２５ａ  上開口端
２５ｂ  下開口端
２６  外胴縁
２７ａ  土台水切
２７ｂ  水切りガイド
２８  下端開口部
２９  間柱
３０  内胴縁
３１  大引き
３２  根太
３３ａ  床板
３３ｂ  床下地
３４  セルロース受木
３６ａ  仕切り壁
３６ｂ  間仕切り壁
３７  仕切り柱
３８  胴縁
３９  横胴縁
４０  仕切り仕上材
４１  仕切り通気層
４２  ガラリ
４４  流通間隙
５０  一階の天井裏部
Ｓ´  二階の居住空間
５１  二階の天井部
５２  二階の床板
５３  他所根太
５４  床梁
５５  小屋梁
５６  胴差材
５７  天井板
５８  野縁
５９  棟木
６０  断熱受け
６１  セルロース受けシート
６２  垂木
６３  アルミシート
６４  受木
【図１】
0006570058.tif 000002
【図２】
0006570058.tif 000003
【図３】
0006570058.tif 000004
【図４】
0006570058.tif 000005
【図５】
0006570058.tif 000006
【図６】
0006570058.tif 000007
【図７】
0006570058.tif 000008
【図８】
0006570058.tif 000009
【図９】
0006570058.tif 000010
【図１０】
0006570058.tif 000011
【図１１】
0006570058.tif 000012
【図１２】
0006570058.tif 000013
【図１３】
0006570058.tif 000014